(57)【要約】【課題】開口部に蓋部材が取り付けられた状態で金属粉の侵入を防止することができるとともに、開口部から蓋部材を容易に取り外すことができる溶接用トーチを提供する。【解決手段】アークを発生させるトーチボディ１と、トーチボディ１に電力を供給するためのトーチケーブル２と、トーチケーブル２とトーチボディ１の基端とを連結するための金属製の連結部材３と、連結部材３にトーチボディ１を締結又はその締結を解除するための締め付けボルトＮと、作業者が把持可能なトーチハンドル４と、締め付けボルトＮを外部に臨ませる開口部４ａと、開口部４ａに対して脱着可能な蓋部材６とを具備した溶接用トーチにおいて、蓋部材６は、開口部４ａに嵌入可能な嵌入部６ａと、嵌入部６ａから側方に張り出して形成された頭部６ｂとを有したものである。【選択図】図４
2020019035.tif 000002
【特許請求の範囲】
【請求項１】
先端にアークを発生させるトーチボディと、
前記トーチボディに電力を供給するためのトーチケーブルと、
前記トーチケーブルの先端に固定され、当該トーチケーブルと前記トーチボディの基端とを連結するための金属製の連結部材と、
前記連結部材に前記トーチボディを締結又はその締結を解除するための締結部材と、
前記連結部材を覆うとともに、作業者が把持可能なトーチハンドルと、
前記トーチハンドルに形成され、前記締結部材を外部に臨ませる開口部と、
前記開口部に対して脱着可能な絶縁材料から成るとともに、前記開口部に取り付けられた状態で前記締結部材を覆い得る蓋部材と、
を具備した溶接用トーチにおいて、
前記蓋部材は、前記開口部に嵌入可能な嵌入部と、前記嵌入部から側方に張り出して形成された頭部とを有したことを特徴とする溶接用トーチ。
【請求項２】
前記蓋部材は、前記嵌入部及び頭部が一体形成された電気絶縁性を有するゴム材又は樹脂材から成ることを特徴とする請求項１記載の溶接用トーチ。
【請求項３】
前記嵌入部は、前記開口部の内周壁に対して圧入可能とされたことを特徴とする請求項１又は請求項２記載の溶接用トーチ。
【請求項４】
前記開口部は、その開口縁部に沿って凸部が一体形成されるとともに、前記蓋部材が前記開口部に取り付けられた状態で前記頭部が前記凸部の突端面に当接し得ることを特徴とする請求項１〜３の何れか１つに記載の溶接用トーチ。
【請求項５】
前記頭部は、前記凸部の外周縁に沿って折り曲げられた折り曲げ部を有することを特徴とする請求項４記載の溶接用トーチ。
【発明の詳細な説明】
【技術分野】
【０００１】
本発明は、作業者が把持しつつ溶接作業するための溶接用トーチに関するものである。
【背景技術】
【０００２】
作業者が手で握って溶接を行う半自動溶接においては、一般的に、溶接機から供給される電力を伝達するトーチケーブルの先端に圧着された連結部材に、溶接用のアークを発生させる先端部品を装着したトーチボディが連結され締め付けネジによって締結された溶接用トーチが用いられている。かかる溶接用トーチは、樹脂製のトーチハンドルによって金属製の連結部材が覆われ、そのトーチハンドルを作業者が把持して溶接作業し得るようになっている。
【０００３】
このように、作業者が把持するトーチハンドルによって、金属製の連結部材を覆っているので、トーチハンドルを把持した作業者に電流が流れないように電気的絶縁することができる。また、トーチボディと連結部材とは、締め付けボルト（締結部材）によって締結されているとともに、トーチハンドルには、締め付けボルトを外部に臨ませる開口部が形成されている。
【０００４】
そして、トーチハンドルの開口部にレンチ等の工具を挿入して締め付けボルトを緩めることにより、トーチケーブルとトーチボディとの締結を解くことができるとともに、工具によって締め付けボルトを締め付けることにより、トーチケーブルとトーチボディとを締結させることができる。なお、締結ボルトを緩めた際、トーチハンドルの開口部から締結ボルトを取り出すこともできるようになっている。
【０００５】
従来の溶接用トーチは、例えば特許文献１にて開示されているように、トーチハンドルの開口部にゴム製の蓋部材が取り付けられており、溶接時に通電状態となっている締め付けボルトに金属等が触れてしまうのを防止するよう構成されている。かかる蓋部材は、電気絶縁性を有するゴム材から成り、開口部に合致して嵌め込み可能とされるとともに、一部に切欠き部が形成されていた。そして、切欠き部で生じた隙間に工具等を差し込むことにより、蓋部材を開口部から取り外すことができるよう構成されていた。
【先行技術文献】
【特許文献】
【０００６】
【特許文献１】特開２００９−７２５号公報
【発明の概要】
【発明が解決しようとする課題】
【０００７】
しかしながら、上記従来技術においては、蓋部材に切欠きが形成されているため、開口部との間に生じた隙間から金属粉が侵入してしまい、その金属粉が開口部に向かって堆積してトーチハンドル近傍まで電流が導かれてしまう虞があった。また、切欠き部以外においても、蓋部材と開口部との間に僅かな隙間が生じている場合、その隙間から金属粉が侵入して堆積してしまう虞がある。一方、切欠きをなくしてしまうと、蓋部材の取り外しが困難となる不具合が生じてしまう。
【０００８】
本発明は、このような事情に鑑みてなされたもので、開口部に蓋部材が取り付けられた状態で金属粉の侵入を防止することができるとともに、開口部から蓋部材を容易に取り外すことができる溶接用トーチを提供することにある。
【課題を解決するための手段】
【０００９】
請求項１記載の発明は、先端にアークを発生させるトーチボディと、前記トーチボディに電力を供給するためのトーチケーブルと、前記トーチケーブルの先端に固定され、当該トーチケーブルと前記トーチボディの基端とを連結するための金属製の連結部材と、前記連結部材に前記トーチボディを締結又はその締結を解除するための締結部材と、前記連結部材を覆うとともに、作業者が把持可能なトーチハンドルと、前記トーチハンドルに形成され、前記締結部材を外部に臨ませる開口部と、前記開口部に対して脱着可能な絶縁材料から成るとともに、前記開口部に取り付けられた状態で前記締結部材を覆い得る蓋部材とを具備した溶接用トーチにおいて、前記蓋部材は、前記開口部に嵌入可能な嵌入部と、前記嵌入部から側方に張り出して形成された頭部とを有したことを特徴とする。
【００１０】
請求項２記載の発明は、請求項１記載の溶接用トーチにおいて、前記蓋部材は、前記嵌入部及び頭部が一体形成された電気絶縁性を有するゴム材又は樹脂材から成ることを特徴とする。
【００１１】
請求項３記載の発明は、請求項１又は請求項２記載の溶接用トーチにおいて、前記嵌入部は、前記開口部の内周壁に対して圧入可能とされたことを特徴とする。
【００１２】
請求項４記載の発明は、請求項１〜３の何れか１つに記載の溶接用トーチにおいて、前記開口部は、その開口縁部に沿って凸部が一体形成されるとともに、前記蓋部材が前記開口部に取り付けられた状態で前記頭部が前記凸部の突端面に当接し得ることを特徴とする。
【００１３】
請求項５記載の発明は、請求項４記載の溶接用トーチにおいて、前記頭部は、前記凸部の外周縁に沿って折り曲げられた折り曲げ部を有することを特徴とする。
【発明の効果】
【００１４】
請求項１の発明によれば、蓋部材は、開口部に嵌入可能な嵌入部と、嵌入部から側方に張り出して形成された頭部とを有したので、開口部に蓋部材が取り付けられた状態で金属粉の侵入を防止することができるとともに、開口部から蓋部材を容易に取り外すことができる。
【００１５】
請求項２の発明によれば、蓋部材は、嵌入部及び頭部が一体形成された電気絶縁性を有するゴム材又は樹脂材から成るので、絶縁を確実に図ることができるとともに、開口部に対する蓋部材の取り付け及び取り外しを円滑に行うことができる。
【００１６】
請求項３の発明によれば、嵌入部は、開口部の内周壁に対して圧入可能とされたので、開口部に対して強固に蓋部材を取り付けることができ、開口部から蓋部材が不用意に抜け落ちてしまうのを防止することができる。
【００１７】
請求項４の発明によれば、開口部は、その開口縁部に沿って凸部が一体形成されるとともに、蓋部材が開口部に取り付けられた状態で頭部が凸部の突端面に当接し得るので、金属粉の侵入をより確実に防止することができるとともに、開口部から蓋部材を円滑に取り外すことができる。
【００１８】
請求項５の発明によれば、頭部は、凸部の外周縁に沿って折り曲げられた折り曲げ部を有するので、開口部に対してより強固に蓋部材を取り付けることができるとともに、金属粉の侵入をより一層確実に防止することができる。
【図面の簡単な説明】
【００１９】
【図１】本発明の実施形態に係る溶接用トーチ（蓋部材を取り付けた状態）を示す全体外観図
【図２】同溶接用トーチ（蓋部材を取り外した状態）を示す全体外観図
【図３】同溶接用トーチ（トーチハンドル及びカバー部材を取り外した状態）の内部構成を示す全体図
【図４】同溶接用トーチにおける蓋部材を示す３面図
【図５】同溶接用トーチにおける蓋部材を示す斜視図
【図６】同溶接用トーチにおける蓋部材と開口部との寸法関係を示す模式図
【図７】同溶接用トーチにおける開口部に蓋部材が取り付けられた状態を示す模式図
【図８】同溶接用トーチにおける開口部に蓋部材が取り付けられた状態を示す断面図
【図９】本発明の他の実施形態に係る溶接用トーチにおける開口部に蓋部材が取り付けられた状態を示す断面図
【図１０】本発明の更に他の実施形態に係る溶接用トーチにおける蓋部材を示す模式図
【図１１】同溶接用トーチにおける蓋部材を開口部に取り付けた状態を示す模式図
【発明を実施するための形態】
【００２０】
以下、本発明の実施形態について図面を参照しながら具体的に説明する。
本実施形態に係る溶接用トーチは、作業者が把持しつつ溶接作業するためのもので、図１〜３に示すように、トーチボディ１と、トーチケーブル２と、連結部材３と、締結部材としての締め付けボルトＮと、トーチハンドル４と、カバー部材５と、蓋部材６とを有して構成されている。なお、トーチボディ１及びトーチケーブル２は、それぞれ絶縁用の被覆で覆われている。
【００２１】
トーチボディ１は、トーチケーブル２を介して電流が供給されることにより、先端１ａにアークを発生させて溶接可能とするもので、長手方向に対して緩やかに曲がった部位を有している。トーチケーブル２は、溶接機（不図示）と接続され、トーチボディ１に電力を供給するための電線から成り、その先端２ａには、トーチケーブル２とトーチボディ１の基端１ｂとを連結するための金属製の連結部材３が固定されている。
【００２２】
連結部材３は、トーチケーブル２の先端に圧着されて固定されるとともに、締め付けボルトＮが取り付け可能とされている。そして、連結部材３にトーチボディ１の基端１ｂを接続した状態で締め付けボルトＮを締め付けることにより、当該連結部材３とトーチボディ１とが連結可能とされ、溶接作業が可能な状態とされる。この締め付けボルトＮ（締結部材）は、連結部材３にトーチボディ１を締結（すなわち、連結部材３を介してトーチボディ１とトーチケーブル２とを締結）又はその締結を解除するためのもので、レンチ等の工具によって締め付け可能とされている。
【００２３】
さらに、本実施形態に係る連結部材３は、トーチハンドル４にて覆われて絶縁が図られるようになっている。かかるトーチハンドル４は、連結部材３を覆うとともに、溶接作業時に作業者が把持可能なもので、例えば左右半割状の絶縁部材（樹脂部材等）を合致させて成る。なお、トーチハンドル４と隣接した位置（後端側）には、カバー部材５が取り付けられており、このカバー部材５によってトーチケーブル２の一部が覆われるようになっている。
【００２４】
本実施形態に係るトーチハンドル４は、図２に示すように、締め付けボルトＮ（締結部材）を外部に臨ませる開口部４ａが形成されている。この開口部４ａは、外部から締め付けボルトＮ（特に、レンチ等の工具を差し込む頭部）を視認し得るとともに、締め付けボルトＮを取り出し可能な形状及び寸法とされている。しかして、開口部４ａにレンチ等の工具を差し込み、締め付けボルトＮを緩めることにより、トーチボディ１を連結部材３から取り外すことができるとともに、締め付けボルトＮを締め付けることにより、連結部材３にトーチボディ１を連結させ得るようになっている。なお、締め付けボルトＮに代えて工具等で締め付け可能な他の汎用的な締結部材としてもよい。
【００２５】
この開口部４ａには、蓋部材６が取り付けられている。かかる蓋部材６は、開口部４ａに対して脱着可能な絶縁材料から成るとともに、開口部４ａに取り付けられた状態で締め付けボルトＮ（締結部材）を覆い得るよう構成されている。これにより、トーチハンドル４を把持して溶接作業する際、作業者が誤って開口部４ａに指や工具等を入れてしまうのを防止することができるとともに、開口部４ａにおける絶縁を図ることができる。
【００２６】
すなわち、絶縁被覆で覆われていない連結部材３をトーチハンドル４で覆うことによって、この部分の絶縁保護を図ることができるとともに、溶接作業時には締め付けボルトＮも金属製故、通電状態になるので、開口部４ａに蓋部材６を取り付けることによって締め付けボルトＮに対する絶縁を図ることができるのである。そして、溶接作業が終了した後、蓋部材６を取り外すことによって開口部４ａにレンチ等の工具を挿通させ、締め付けボルトＮを緩めることができる。
【００２７】
ここで、本実施形態に係る蓋部材６は、図４〜８に示すように、開口部４ａに嵌入可能な嵌入部６ａと、嵌入部６ａから側方に張り出して形成された頭部６ｂとを有するとともに、嵌入部６ａ及び頭部６ｂが一体形成された電気絶縁性を有するゴム材（樹脂材であってもよい）から成る。なお、蓋部材６が開口部４ａに取り付けられた状態は、図１に示されている。
【００２８】
より具体的に説明すると、嵌入部６ａは、図６、８に示すように、開口部４ａの開口形状に倣った形状及び寸法とされており、蓋部材６が開口部４ａに取り付けられると、当該開口部４ａに挿入されて嵌入し得るようになっている。また、本実施形態に係る嵌入部６ａは、その外輪郭寸法が開口部４ａの内周輪郭寸法より若干大きく設定されており、蓋部材６が開口部４ａに取り付けられた状態において、開口部４ａの内周壁に対して圧入するよう構成されている。
【００２９】
頭部６ｂは、嵌入部６ａの一端から側方に向かって一体的に延設された鍔部から成り、図７、８に示すように、蓋部材６が開口部４ａに取り付けられた状態において、開口部４ａの内周縁を覆うよう構成されている。これにより、嵌入部６ａの外周面と開口部４ａの内周面との間に隙間が生じてしまった場合であっても、その隙間を頭部６ｂにて覆うことができるとともに、頭部６ｂを指で摘まむことにより、蓋部材６を開口部４ａから取り外し易くなっている。
【００３０】
したがって、本実施形態によれば、蓋部材６は、開口部４ａに嵌入可能な嵌入部６ａと、嵌入部６ａから側方に張り出して形成された頭部６ｂとを有したので、開口部４ａに蓋部材６が取り付けられた状態で金属粉の侵入を防止することができるとともに、開口部４ａから蓋部材６を容易に取り外すことができる。また、蓋部材６は、嵌入部６ａ及び頭部６ｂが一体形成された電気絶縁性を有するゴム材又は樹脂材から成るので、絶縁を確実に図ることができるとともに、開口部４ａに対する蓋部材６の取り付け及び取り外しを円滑に行うことができる。
【００３１】
さらに、本実施形態に係る開口部４ａは、図８に示すように、その開口縁部に沿って凸部４ｂが一体形成されるとともに、蓋部材６が開口部４ａに取り付けられた状態で頭部６ｂの裏面が凸部４ｂの突端面４ｂａに当接し得るようになっている。これにより、蓋部材６を安定して開口部４ａに取り付けることができるので、金属粉の侵入をより確実に防止することができるとともに、開口部４ａから蓋部材６を円滑に取り外すことができる。
【００３２】
以上、本実施形態について説明したが、本発明はこれに限定されず、例えば図９に示すように、頭部６’ｂが凸部４ｂの外周縁４ｂｂに沿って折り曲げられた折り曲げ部６’ｂａを有するものであってもよい。この場合、嵌入部６’ａ及び頭部６’ｂが一体形成されるとともに、頭部６’ｂに凸部４ｂの外周縁４ｂｂに沿った折り返しが形成されるので、開口部４ａに対してより強固に蓋部材６’を取り付けることができるとともに、金属粉の侵入をより一層確実に防止することができる。
【００３３】
また、蓋部材６に代えて、例えば図１０、１１に示すように、平面視で円形状な頭部６”ｂを有する蓋部材６”であってもよい。この場合、嵌入部６”ａ及び頭部６”ｂが一体形成されるとともに嵌入部６”ａが開口部４ａに嵌入しつつ円形状の頭部６”ｂが側方に張り出されることとなる。なお、頭部６”ｂに代えて、他の形状（平面視で矩形状や異形状）の頭部としてもよい。
【産業上の利用可能性】
【００３４】
開口部に嵌入可能な嵌入部と、嵌入部から側方に張り出して形成された頭部とを有した蓋部材を具備する溶接用トーチであれば、外観形状が異なるもの或いは他の機能が付加されたもの等にも適用することができる。
【符号の説明】
【００３５】
１  トーチボディ
１ａ  先端
１ｂ  基端
２  トーチケーブル
２ａ  先端
３  連結部材
４  トーチハンドル
４ａ  開口部
４ｂ  凸部
４ｂａ  突端面
４ｂｂ  外周縁
５  カバー部材
６  蓋部材
６ａ  嵌入部
６ｂ  頭部
Ｎ  締め付けボルト（締結部材）
【図１】
2020019035.tif 000003
【図２】
2020019035.tif 000004
【図３】
2020019035.tif 000005
【図４】
2020019035.tif 000006
【図５】
2020019035.tif 000007
【図６】
2020019035.tif 000008
【図７】
2020019035.tif 000009
【図８】
2020019035.tif 000010
【図９】
2020019035.tif 000011
【図１０】
2020019035.tif 000012
【図１１】
2020019035.tif 000013